(57)【要約】【課題】現場での作業員の作業性向上を図ることが可能な検出器保持具および測定装置を提供する。【解決手段】測定装置１０は、槽２０の縁部２１に位置する載置部３０と、槽２０の蓋２２に着脱容易に取り付けられる落とし込み部４０と、を備えている。この落とし込み部４０は、所定の項目について検出結果を出力する検出器４１と、検出器４１が取り付けられる棒状のホルダー４５と、検出器４１をホルダー４５の下端に取り付けるためのアダプタ４６と、ホルダー４５を蓋２２に取り付けるための取り付け部４７と、を備えている。この取り付け部４７は、蓋２２に着脱可能に取り付けられる検出部蓋と、検出部蓋に設けられ、ホルダー４５を通すための通し穴と、通し穴に通されたホルダー４５を２つのＵ字部材５７と共に固定する板金部材５６と、を備えている。【選択図】図１
2012189414.tif 000002
【特許請求の範囲】
【請求項１】
被検出対象液に浸漬されて当該被検出対象液に関する所定の検出を行う検出器が長手部材に取り付けられて当該被検出対象液を溜める槽に落とし込まれた状態で当該長手部材を保持するための検出器保持具であって、
前記長手部材に取り付けられる前記検出器の位置よりも上方の位置にて当該長手部材に固定され、前記槽の液面の上に位置する当該槽の蓋としての蓋部材に取り付けられて当該槽の蓋の一部をなすことを特徴とする検出器保持具。
【請求項２】
前記蓋部材の上面に重ねられて当該蓋部材に取り付けられることを特徴とする請求項１に記載の検出器保持具。
【請求項３】
前記長手部材に固定される位置を変更可能に構成されていることを特徴とする請求項１または２に記載の検出器保持具。
【請求項４】
一端部と他端部との間の中間部が曲げられて形成された長手部材を保持し、
前記蓋部材に取り付けたときの当該蓋部材に対する前記検出器の位置を変更可能に構成されていることを特徴とする請求項１または２に記載の検出器保持具。
【請求項５】
被検出対象液に浸漬されて当該被検出対象液に関する所定の検出を行う検出器と、
前記検出器が取り付けられる長手部材と、
前記長手部材に取り付けた前記検出器が被検出対象液を溜める槽に落とし込まれた状態で当該長手部材を保持するための請求項１ないし４のいずれか１項に記載の前記検出器保持具と、
前記槽の液面の上に位置する当該槽の蓋部材とは別の場所に設置される支柱と、
前記支柱に配設され、前記検出器の検出結果を受信して測定を行う測定部と、
を備えることを特徴とする測定装置。
【発明の詳細な説明】
【技術分野】
【０００１】
本発明は、検出器を保持する検出器保持具および、この検出器保持具を用いて測定を行う測定装置に関するものである。
【背景技術】
【０００２】
例えばｐＨや溶存酸素量を検出する落とし込み式のセンサを上下水道処理池に浸漬させる構造について、従来から種々の構造が提案されている（例えば、特許文献１参照）。この特許文献１には、落とし込み式水質計器用の保護管及び検出器や洗浄装置に付着する異物を除去するためのメンテナンスを簡易化するとともに、期間延長による費用の削減を図るために、検出器を保護する保護管を挟み込んで保持するローラーと、ローラーを回転駆動して保護管を昇降移動させるローラー駆動機構とを備えたことを特徴とする落とし込み式水質計器用保護管昇降装置が開示されている。
【先行技術文献】
【特許文献】
【０００３】
【特許文献１】特開２００３−７５４３０号
【発明の概要】
【発明が解決しようとする課題】
【０００４】
ここで、水質を測定するための検出器を現場に設置する作業や設置後のメンテナンス作業を考慮すると、設置の構造が複雑であれば、作業性の向上を図ることが困難である。とりわけ、現場でのメンテナンス作業は定期的に行う必要があるものゆえ、必要な作業員の数が少ないのが好ましい。
【０００５】
本発明は、以上のような技術的課題を解決するためになされたものであり、その目的とするところは、現場での作業員の作業性向上を図ることが可能な検出器保持具および測定装置を提供することにある。
【課題を解決するための手段】
【０００６】
かかる目的のもと、本発明が適用される検出器保持具は、被検出対象液に浸漬されて当該被検出対象液に関する所定の検出を行う検出器が長手部材に取り付けられて当該被検出対象液を溜める槽に落とし込まれた状態で当該長手部材を保持するための検出器保持具であって、前記長手部材に取り付けられる前記検出器の位置よりも上方の位置にて当該長手部材に固定され、前記槽の液面の上に位置する当該槽の蓋としての蓋部材に取り付けられて当該槽の蓋の一部をなすことを特徴とするものである。
【０００７】
ここで、前記蓋部材の上面に重ねられて当該蓋部材に取り付けられることを特徴とすることができる。また、前記長手部材に固定される位置を変更可能に構成されていることを特徴とすることができる。さらに、一端部と他端部との間の中間部が曲げられて形成された長手部材を保持し、前記蓋部材に取り付けたときの当該蓋部材に対する前記検出器の位置を変更可能に構成されていることを特徴とすることができる。
【０００８】
他の観点から捉えると、本発明が適用される測定装置は、被検出対象液に浸漬されて当該被検出対象液に関する所定の検出を行う検出器と、前記検出器が取り付けられる長手部材と、前記長手部材に取り付けた前記検出器が被検出対象液を溜める槽に落とし込まれた状態で当該長手部材を保持するための請求項１ないし４のいずれか１項に記載の前記検出器保持具と、前記槽の液面の上に位置する当該槽の蓋部材とは別の場所に設置される支柱と、前記支柱に配設され、前記検出器の検出結果を受信して測定を行う測定部と、を備えることを特徴とするものである。
【発明の効果】
【０００９】
本発明によれば、現場での作業員の作業性向上を図ることが可能になる。
【図面の簡単な説明】
【００１０】
【図１】測定装置を現場に設置した状態を説明する図である。
【図２】測定装置を現場に設置した状態を説明する図である。
【図３】測定装置を現場に設置した状態を説明する図である。
【図４】落とし込み部の取り付け部の分解斜視図である。
【図５】落とし込み部の取り付け部にホルダーが固定されている状態を説明する縦断面図である。
【発明を実施するための形態】
【００１１】
以下、添付図面を参照して、本発明の実施の形態について詳細に説明する。
まず、本実施の形態に係る測定装置１０を現場に設置した状態を説明する。
図１、図２および図３は、測定装置１０を現場に設置した状態を説明する図である。すなわち、図１はその正面図であり、図２はその概略右側面図であり、図３の（ａ）はその概略平面図である。また、図３の（ｂ）は、落とし込み部４０を取り外した状態の概略平面図である。
図１および図２に示すように、現場に測定装置１０が設置されている。この測定装置１０は、現場の槽２０に貯留されている被検出対象液について所定の項目を測定するための機器である。この場合の現場の槽２０は、下水処理場の反応槽であるが、その他に、上水処理場の処理池や工場の排水ラインの場合も考えられる。
【００１２】
さらに説明すると、測定装置１０は、槽２０の縁部２１に位置する載置部３０と、槽２０の蓋２２に着脱容易に取り付けられ、蓋２２に取り付けられることで槽２０に落とし込み可能な落とし込み部４０と、を備えている。槽２０の蓋２２は、板状の部材であり、例えば臭い対策や転落防止のために設けられている。
なお、図１および図３の（ａ）に示すように、蓋２２の上面には、略コ字形状に形成された４つの把手部２２ａが配設されている。また、図３の（ａ）に示すように、蓋２２には、板状の採取部蓋２３が開閉可能に取り付けられている。採取部蓋２３にも、略コ字形状の把手部２３ａが配設されている。
蓋２２は蓋部材の一例である。
【００１３】
図１および図２に示すように、測定装置１０の載置部３０は、縁部２１に置かれるポールスタンド３１に電源部３２、変換部３３およびクリーニング部３４を取り付けることで構成されている。クリーニング部３４は、洗浄用エアを送出するためのコンプレッサ（不図示）を有する。ポールスタンド３１は支柱の一例であり、変換部３３は測定部の一例であり、槽２０の縁部２１は、別の場所の一例である。
【００１４】
また、測定装置１０の落とし込み部４０は、所定の項目について検出結果を出力する検出器４１を備えている。この検出器４１は、例えばアンモニア性窒素、溶存酸素またはｐＨの測定に用いられるものである。落とし込み部４０の検出器４１の検出結果は、ケーブル４２を通じて載置部３０の変換部３３に送信される。
また、検出器４１を洗浄するための洗浄ノズル部４３が検出器４１に近接して配置されている。また、洗浄ノズル部４３に洗浄用のエアを載置部３０のクリーニング部３４から供給するためのチューブ４４が配設されている。所定時間が経過したときまたは所定時刻が到来したときに、クリーニング部３４から洗浄用のエアがチューブ４４を通って洗浄ノズル部４３に供給される。
【００１５】
また、落とし込み部４０は、検出器４１が取り付けられる棒状のホルダー４５と、検出器４１をホルダー４５の下端に取り付けるためのアダプタ４６と、ホルダー４５を蓋２２に取り付けるための取り付け部４７と、を備えている。検出器４１とアダプタ４６との接続部分は防水シールされており、また、アダプタ４６とホルダー４５の下端との接続部分も防水シールされている。ホルダー４５は、棒状部材ないし長手部材の一例である。
落とし込み部４０の取り付け部４７は、蓋２２に形成されている矩形形状の開口部２４（図３の（ｂ）参照）に取り付けられる。より具体的には、取り付け部４７の一部を構成する後述の検出部蓋５１（図４参照）が蓋２２の開口部２４（図３の（ｂ）参照）に取り付けられる。落とし込み部４０の取り付け部４７は、検出器保持具の一例である。
なお、蓋２２の開口部２４の四隅には、開口部２４の開口面積を減少させるように突出する４つの突出部２５（図３の（ｂ）参照）が形成されている。また、突出部２５の各々には、雌ねじ部２５ａ（図３の（ｂ）参照）が形成されている。
【００１６】
ホルダー４５は、長手部材で構成されている。より具体的には、ホルダー４５は、横断面の外径が略円形状で中空のパイプ部材で構成されている。ホルダー４５は、設置される現場によっては、全長２〜３ｍの長さであるが、ホルダー４５としてパイプ部材を用いることで、より軽量になり、作業者の作業性の向上を図ることが可能である。なお、ホルダー４５の材質としては、腐食に強いステンレス材を用いることが考えられる。
上述したケーブル４２は、検出器４１からアダプタ４６およびホルダー４５の内部を通ってホルダー４５の上端から露出し、載置部３０の変換部３３へと延びている。なお、ホルダー４５の上端には、キャップが取り付けられている。
また、ホルダー４５の外面には、ホルダー４５の長さ方向に沿って這うように上述のチューブ４４が配設されている。このチューブ４４は、複数のチューブ押さえによってホルダー４５に取り付けられる。
【００１７】
ホルダー４５の下端部分は約４５度に一方向に傾斜している（図１参照）。ホルダー４５の下端部分以外の部分は傾斜していない。このように傾斜するホルダー４５は、検出器４１が槽２０の水流方向の下流側に向くように位置決めされる。ホルダー４５の下端部分は、一端部と他端部との間の中間部の一例である。
なお、検出器４１が槽２０の被検出対象液に常に浸漬するように、ホルダー４５の取り付け部４７に対する高さ位置を容易に調整することが可能である。例えば、槽２０の水位が変化する場合には、水位が最も低いときにも検出器４１が浸漬しているように調整する。
【００１８】
次に、落とし込み部４０の取り付け部４７について図４を用いて説明する。なお、上述したように、取り付け部４７は検出器保持具の一例であり、ホルダー４５を蓋２２に取り付けるためのものである。すなわち、取り付け部４７にはホルダー４５が含まれない。
図４は、落とし込み部４０の取り付け部４７の分解斜視図である。
図４に示すように、落とし込み部４０の取り付け部４７は、蓋２２に着脱可能に取り付けられる検出部蓋５１を備えている。
この検出部蓋５１は板状部材であり、平面視では、互いに略平行な２つの短辺および２つの長辺を有し、四隅が略直角の長方形である。検出部蓋５１は、蓋２２の開口部２４に取り付けられる。
【００１９】
取り付け部４７の検出部蓋５１には、ホルダー４５を通すための通し穴５２が形成されている。この通し穴５２は、検出部蓋５１の略中央に位置している。通し穴５２は、ホルダー４５の外径よりも大きい円形状に形成されている。
また、取り付け部４７は、検出部蓋５１の略中央に形成された貫通穴に装着される保護用のグロメット５３と、検出部蓋５１の四隅の各々に位置し、検出部蓋５１を蓋２２に取り付けるのに用いるローレット付きの４つの雄ねじ部材５４と、を備えている。この雄ねじ部材５４は、取り付け部４７の上述した突出部２５に形成されている雌ねじ部２５ａ（図３の（ｂ）参照）と螺合可能である。
【００２０】
また、取り付け部４７は、検出部蓋５１の表面（図４の上面）に取り付けられ、略コ字形状に形成された２つの把手部５５と、検出部蓋５１の裏面（図４の下面）に取り付けられる板金部材５６と、を備えている。また、取り付け部４７は、Ｕ字状に形成され、端部の各々に雌ねじが形成されている２つのＵ字部材５７と、通し穴５２に通されたホルダー４５と通し穴５２との隙間を隠すためのゴムパッキン５８と、を備えている。
【００２１】
把手部５５および板金部材５６は、ねじ部材により共締めされることで、検出部蓋５１に取り付けられる。板金部材５６は、後述するように、Ｕ字部材５７と共にホルダー４５を固定するのに用いられる。
また、Ｕ字部材５７は、板金部材５６にナットおよび平座金を用いて取り付けられることでホルダー４５を取り付け部４７に固定する。なお、Ｕ字部材５７は、断面円形状の金属棒を所定の長さに切断した後にＵ字状に曲げることで形成される。
【００２２】
ここで、検出部蓋５１は、開口部２４の突出部２５の上に乗る形で蓋２２に取り付けられる（図３の（ａ）参照）。このように、検出部蓋５１が蓋２２に取り付けられると、槽２０の蓋としての機能の一部を担う。また、検出部蓋５１は、蓋２２の上面に重ねられる。
さらに説明すると、検出部蓋５１を蓋２２に取り付ける作業としては、作業者が把手部５５を持って検出部蓋５１を開口部２４の突出部２５（図３の（ｂ）参照）に置いた後に、雄ねじ部材５４を開口部２４の雌ねじ部２５ａに締め付けることで完了する。また、検出部蓋５１を蓋２２から取り外す作業としては、作業者が雄ねじ部材５４を緩めて雌ねじ部２５ａから外した後に、把手部５５を持って検出部蓋５１を持ち上げることで完了する。
このように、本実施の形態では、検出部蓋５１の蓋２２に対する着脱作業を容易に行うことが可能である。
【００２３】
さらに説明すると、本実施の形態では、検出部蓋５１の重さ（取り付け部４７の重さ）は蓋２２に入力されることになる構造を採用しており（図１参照）、載置部３０に入力される構造ではない。したがって、載置部３０を槽２０の縁部２１（図１参照）に強固に固定しておく必要がない。
【００２４】
図４に示すように、取り付け部４７の板金部材５６は、板部材を折り曲げたいわゆる板金で形成されている。すなわち、板金部材５６は、検出部蓋５１から遠ざかるように延びる矩形の本体片６１と、本体片６１に接続すると共に検出部蓋５１の長辺に沿って延びる２つの補強片６２と、を備えている。
本体片６１には、Ｕ字部材５７を取り付けるための穴６１ａが４つ形成されている。また、２つの補強片６２は、互いに離間すると共に略平行に延びている。この補強片６２は、三角形に形成されている。
【００２５】
板金部材５６は、２つの補強片６２の各々に接続する２つのフランジ６３を備えている。２つのフランジ６３は、検出部蓋５１の長辺に沿って延びると共に、検出部蓋５１の短辺の方向に互いに離間するように延びている。２つのフランジ６３の各々には、２つの取り付け穴６３ａが形成されている。この取り付け穴６３ａを利用して、板金部材５６が検出部蓋５１に取り付けられる。
板金部材５６は、本体片６１の上端で接続する上側固定片６４と、本体片６１の下端で接続する下側固定片６５と、を備えている。上側固定片６４は、検出部蓋５１の近くに位置し、下側固定片６５は、検出部蓋５１の遠くに位置している。
上側固定片６４には切欠き部６４ａが形成され、下側固定片６５には切欠き部６５ａが形成されている。
【００２６】
図５は、落とし込み部４０の取り付け部４７にホルダー４５が固定されている状態を示す縦断面図である。
図５に示すように、検出器４１が取り付けられたホルダー４５を板金部材５６の切欠き部６４ａ，６５ａに接触させる。例えば、Ｕ字部材５７を外した状態の取り付け部４７を、切欠き部６４ａ，６５ａを上にした状態で載置し、取り付け部４７の通し穴５２に通したホルダー４５を切欠き部６４ａ，６５ａに置くことでホルダー４５を切欠き部６４ａ，６５ａに接触させる。
【００２７】
そして、Ｕ字部材５７を板金部材５６の本体片６１の穴６１ａに挿入し、さらにナットおよび平座金をＵ字部材５７の雌ねじに締め付けることで、ホルダー４５が板金部材５６に固定される。ホルダー４５を取り付け部４７と一体に固定すると、測定装置１０の落とし込み部４０を組み立てることができる。このように板金部材５６に固定するホルダー４５の位置は、任意なものとすることができる。また、ホルダー４５に取り付けられている検出器４１と板金部材５６との間の位置関係を任意なものとすることができる。
なお、上述したように、ホルダー４５には、ケーブル４２およびチューブ４４が取り付けられる。
【００２８】
このようにして、測定装置１０の落とし込み部４０を完成させると、落とし込み部４０を一体で扱うことが可能になる。このため、落とし込み部４０の下端に位置する検出器４１を蓋２２の開口部２４から槽２０に入れることで、検出器４１を槽２０に落とし込む作業を行うことができる。その際に、開口部２４には、開口面積を減少させるように突出する突出部２５（図３の（ｂ）参照）が形成されているので、取り付け部４７の検出部蓋５１を開口部２４から落下させてしまうというおそれがない。したがって、落とし込み部４０の蓋２２への取り付けおよび取り外しの作業（設置作業やメンテナンス作業）を、一人の作業者で行うことが可能である。さらには、一人でそのような作業を行ったとしても作業性を低下させず、むしろ作業性の向上を図ることが可能である。
【００２９】
また、落とし込み部４０を蓋２２に取り付けることで、蓋２２が落とし込み部４０の重さを受け持っている。すなわち、落とし込み部４０の重さは、載置部３０に伝わることがない。このため、測定装置１０の設置作業においては、載置部３０を槽２０の縁部２１に例えばアンカーボルト等によって据え付けるとしても、載置部３０自体が固定されれば十分であり、載置部３０がホルダー４５の重さを受け持つ場合に比べて、作業性を向上させることが可能である。
【００３０】
また、検出器４１の取り付け向きが斜めや９０度であったとしても、蓋２２の大きさを変更することで対応することが可能である。
また、ホルダー４５の太さについても、検出器４１を支えるだけの剛性を確保すれば足り、また、ホルダー４５の長さについても、落とし込み部４０の検出部蓋５１までの長さがあれば足りる。したがって、例えば落とし込み部４０を載置部３０に取り付ける構造を採用する場合に比べて、本実施の形態では、ホルダー４５の外径をより小さく、かつ長さをより短くすることが可能になる。このため、落とし込み部４０の総重量の軽量化を図ることが可能であり、設置作業やメンテナンス作業の作業性を向上させることが可能である。
【符号の説明】
【００３１】
１０…測定装置、２２…蓋、２４…開口部、３０…載置部、４０…落とし込み部、４１…検出器、４５…ホルダー、４７…取り付け部、５１…検出部蓋、５２…通し穴、５６…板金部材、５７…Ｕ字部材、６１…本体片、６２…補強片、６４…上側固定片、６４ａ，６５ａ…切欠き部、６５…下側固定片
【図１】
2012189414.tif 000003
【図２】
2012189414.tif 000004
【図３】
2012189414.tif 000005
【図４】
2012189414.tif 000006
【図５】
2012189414.tif 000007